(57)【特許請求の範囲】
【請求項１】
直管形の蛍光灯が着脱自在に装着される少なくとも一対のランプソケットと、金属材料製であって長手方向の両端部に各々ランプソケットが配設される器具本体と、器具本体に取り付けられランプソケットを介して蛍光灯を点灯する蛍光灯電子安定器と、蛍光灯電子安定器を覆うように器具本体に取り付けられ蛍光灯の光を反射する反射板とを備え、器具本体の底面に設けられている電源線挿通孔を通して器具本体と反射板の間に形成されている空間に引き込まれた電源線が蛍光灯電子安定器に接続されてなる蛍光灯照明器具であって、蛍光灯と並行して反射板に沿うように配置された前記電源線の一部を支持する支持手段を備え、前記電源線は、前記蛍光灯から最短距離の位置において前記反射板に密着した状態で前記支持手段に支持されることを特徴とする蛍光灯照明器具。
【請求項２】
直管形の蛍光灯が着脱自在に装着される少なくとも一対のランプソケットと、金属材料製であって長手方向の両端部に各々ランプソケットが配設される器具本体と、器具本体に取り付けられランプソケットを介して蛍光灯を点灯する蛍光灯電子安定器と、蛍光灯電子安定器を覆うように器具本体に取り付けられ蛍光灯の光を反射する反射板とを備え、器具本体の底面に設けられている電源線挿通孔を通して器具本体と反射板の間に形成されている空間に引き込まれた電源線が蛍光灯電子安定器に接続されてなる蛍光灯照明器具の輻射雑音を低減する方法であって、前記電源線の一部を、蛍光灯と並行して反射板に沿うように配置するとともに、前記蛍光灯から最短距離の位置において前記反射板に密着させることを特徴とする蛍光灯照明器具の輻射雑音低減方法。
【発明の詳細な説明】
【技術分野】
【０００１】
本発明は、蛍光灯電子安定器により直管形の蛍光灯を点灯する蛍光灯照明器具並びにその輻射雑音低減方法に関するものである。
【背景技術】
【０００２】
近年、銅鉄形安定器に代わって、インバータ回路により商用周波（５０Ｈｚ又は６０Ｈｚ）から高周波（例えば、５０ｋＨｚ）に変換して蛍光灯を点灯させる蛍光灯電子安定器を備えた蛍光灯照明器具が普及している。かかる蛍光灯照明器具では、蛍光灯電子安定器から発生する雑音（高周波ノイズ）が他の機器に悪影響を及ぼさないように対策する必要がある。
【０００３】
例えば、蛍光灯電子安定器（以下、安定器と略す。）とランプソケットを接続する配線から放射される輻射雑音を対策した蛍光灯照明器具が提案されている（特許文献１参照）。この従来例においては、インバータ回路を搭載したプリント配線板を金属製のケースに収納してなる安定器を備え、インバータ回路の電位変動側出力端子を一方のランプソケットに近接配置するとともに電位安定側出力端子を他方のランプソケットに近い側に配置することにより、電位変動側出力端子とランプソケットの間の配線長を短く且つ電位安定側出力端子とランプソケットの間の配線から距離を離すことで電位変動側出力端子とランプソケットの間の配線から放射される電磁波が電位安定側出力端子とランプソケットの間の配線に及ぼす影響を抑えて輻射雑音を低減している。これ以外にも、器具本体の開口面側に金属製のルーバを設けて輻射雑音を低減したものも提案されている。
【特許文献１】特開２０００−１３８００９公報
【発明の開示】
【発明が解決しようとする課題】
【０００４】
しかしながら、上記特許文献１に記載されている従来例では、器具本体に対して安定器を片側に寄せて配置させる必要があり、器具本体の重量バランスが一端側に極端に偏ってしまうために持ち運びがし難いものであった。また、ルーバのような金属部材を蛍光灯の前方に配置した場合には蛍光灯の光が金属部材によって遮られてしまう。
【０００５】
本発明は上記事情に鑑みて為されたものであり、その目的は、器具本体に対する蛍光灯電子安定器の配置が制約されず且つ蛍光灯の光を無用に遮ることなく輻射雑音を低減することができる蛍光灯照明器具並びにその輻射雑音低減方法を提供することにある。
【課題を解決するための手段】
【０００６】
請求項１の発明は、上記目的を達成するために、直管形の蛍光灯が着脱自在に装着される少なくとも一対のランプソケットと、金属材料製であって長手方向の両端部に各々ランプソケットが配設される器具本体と、器具本体に取り付けられランプソケットを介して蛍光灯を点灯する蛍光灯電子安定器と、蛍光灯電子安定器を覆うように器具本体に取り付けられ蛍光灯の光を反射する反射板とを備え、器具本体の底面に設けられている電源線挿通孔を通して器具本体と反射板の間に形成されている空間に引き込まれた電源線が蛍光灯電子安定器に接続されてなる蛍光灯照明器具であって、蛍光灯と並行して反射板に沿うように配置された前記電源線の一部を支持する支持手段を備え、前記電源線は、前記蛍光灯から最短距離の位置において前記反射板に密着した状態で前記支持手段に支持されることを特徴とする。
【０００７】
請求項２の発明は、上記目的を達成するために、直管形の蛍光灯が着脱自在に装着される少なくとも一対のランプソケットと、金属材料製であって長手方向の両端部に各々ランプソケットが配設される器具本体と、器具本体に取り付けられランプソケットを介して蛍光灯を点灯する蛍光灯電子安定器と、蛍光灯電子安定器を覆うように器具本体に取り付けられ蛍光灯の光を反射する反射板とを備え、器具本体の底面に設けられている電源線挿通孔を通して器具本体と反射板の間に形成されている空間に引き込まれた電源線が蛍光灯電子安定器に接続されてなる蛍光灯照明器具の輻射雑音を低減する方法であって、前記電源線の一部を、蛍光灯と並行して反射板に沿うように配置するとともに、前記蛍光灯から最短距離の位置において前記反射板に密着させることを特徴とする。
【発明の効果】
【０００８】
本発明によれば、電源線の一部を蛍光灯と並行して反射板に沿うように配置するとともに、前記蛍光灯から最短距離の位置において前記反射板に密着させているので、電源線を伝って流れる高周波電流に起因した漏洩電波と反射板を流れる高周波電流に起因した漏洩電波とが相殺されることで輻射雑音を低減することができ、しかも、従来例のように器具本体に対する蛍光灯電子安定器の配置が制約されることがなく且つ蛍光灯の光を無用に遮ることのない蛍光灯照明器具並びにその輻射雑音低減方法が提供可能である。
【発明を実施するための最良の形態】
【０００９】
以下、本発明を天井直付け形の施設用照明器具に適用した実施形態について、図１〜図５を参照して詳細に説明する。
【００１０】
本実施形態は、下面側が開放された断面略コ字形に形成されて天井に取り付けられる器具本体１（図２参照）と、器具本体１の長手方向の両端部にそれぞれ設けられた各一対のソケット（ランプソケット）２と、開放された下面側を覆うように器具本体１に取り付けられる断面略Ｖ字形の反射板３と、器具本体１に長手方向が一致する形でそれぞれソケット２間に保持される２本の直管形のランプ（蛍光灯）４とを備えている。なお、本実施形態は、いわゆる富士型の蛍光灯照明器具である。
【００１１】
器具本体１は金属板を折り曲げ加工して形成され、図２に示すように天井に設けられた取付ボルト８２が挿通される一対の挿通孔１ｂが穿孔されている。すなわち、器具本体１を天井に取り付ける際には、該挿通孔１ｂに挿通された取付ボルト８２に座金８３を介装してナット８４を締め付ければよい。また、器具本体１は、長手方向の略中央に端子台７が配設されるとともに、端子台７から一方のソケット２寄りの位置に安定器（蛍光灯電子安定器）５が配設され、さらに、商用電源よりなる交流電源に接続されて天井裏に先行配線されている電源線（３心のＶＶＦケーブル）８１を引き込むための電源穴１ａが端子台７から他方のソケット２寄りの位置に穿孔されている。ここに、器具本体１と反射板３の間に形成される空間（以下、「内部空間」と呼ぶ。）に電線穴１ａを通して引き込まれた電源線８１が端子台７に接続される。尚、安定器５は、１乃至複数のスイッチング素子をスイッチングすることで商用周波から高周波に変換するインバータ回路等が実装されたプリント配線板（図示せず）を金属製のケース５ａに収納して構成されているが、詳細については従来周知であるから図示並びに説明を省略する。
【００１２】
また、器具本体１には、反射板３を取り付けるための固定具１８が設けられ、一方、反射板３には、各固定具１８にそれぞれ取着されるラッチ３２が設けられている。
【００１３】
反射板３は金属板を折り曲げ加工して形成され、ソケット２が挿通される一対のソケット挿通孔３１が長手方向の両端部に各々設けられている。そして、２本のランプ４は、断面略Ｖ字形の反射板３の頂部を挟む形で互いに平行になるように配置されている。
【００１４】
ここで本実施形態では、電源穴１ａから内部空間に引き込まれた電源線８１が、蛍光灯２と並行して反射板３に沿うように配置されている。すなわち、図１（ｂ）に示すように電源穴１ａから真っ直ぐに垂下された電源線８１は、反射板３の内壁面に取り付けられている複数（図示例では４つ）の支持部材６に支持された状態で端子台７と接続されており、これら４つの支持部材６に支持されることによって蛍光灯２と並行して反射板３の頂部（下端部）の内側に沿うように配置されている。
【００１５】
支持部材６は、図１（ａ）に示すように反射板３の内壁面に貼着される固定片６０と、略鉤型であって一端が固定片６０に支持されて他端が撓み自在となった支持片６１とが弾性を有する合成樹脂によって一体に形成されている。すなわち、支持片６１で上方から押さえ付けるようにして反射板３と支持片６１との間に電源線８１が狭持されるのである（図１参照）。尚、端子台７を介して電源線８１の接地線と器具本体１が電気的に接続されるとともに、安定器５の回路グランドがケース５ａを介して器具本体１に電気的に接続されている。ここで、安定器５の回路グランド側に接続されている出力端と接続されているソケット２を低圧側のソケット２と呼び、安定器５の回路グランドに接続されていない出力端と接続されているソケット２を高圧側のソケット２と呼ぶことにする。
【００１６】
而して、安定器５から供給される高周波電流の一部がランプ４の管壁を流れることで金属製の反射板３に誘導起電力が発生し、互いに電気的に接続されている器具本体１と反射板４の長手方向に沿った閉ループが形成され、該閉ループに安定器５から出力された高周波電流が流れることで漏洩電波（輻射雑音）が放射されるのである。これに対して本実施形態では、電源線８１の一部をランプ４と並行して反射板３に沿うように配置しているので、電源線８１を伝って流れる高周波電流に起因した漏洩電波と反射板３を流れる高周波電流に起因した漏洩電波とが相殺されることで輻射雑音を低減することができ、しかも、従来例のように器具本体１に対する安定器５の配置が制約されることがなく且つランプ４の光を無用に遮ることもないものである。
【００１７】
ここで、ＶＣＣＩ（情報処理装置等電波障害自主規制協議会）で規定されている漏洩電波試験の測定方法により、本実施形態の漏洩電波（輻射雑音）を測定したので、その結果を図４及び図５に示す。尚、本実施形態においては反射板３の全長が１２５０ｍｍ、ランプ４の管長が１２００ｍｍである。図４は、反射板３に沿って這わせる電源線８１の長さＬを０ｃｍ〜４０ｃｍの範囲で５ｃｍ刻みで変更して測定した漏洩電波（垂直偏波並びに水平偏波）レベルの最大値を示している。図４から明らかなように、長さＬが０ｃｍ、つまり従来例（電源線８１を器具本体１に沿わせたもの。）では８９ＭＨｚで４６．８ｄＢの最大値（垂直偏波）が存在しているが、長さＬが長くなるにつれて最大値レベルが低下し、長さＬ＝３５ｃｍのときに最大値（垂直偏波）を３７．２ｄＢ（１００ＭＨｚ）まで低減することができた。一方、図５（ａ）は長さＬを３５ｃｍとしたときの３０ＭＨｚ〜３００ＭＨｚの周波数範囲における漏洩電波（垂直偏波並びに水平偏波）の測定結果、図５（ｂ）は従来例（長さＬ＝０ｃｍ）における漏洩電波（垂直偏波並びに水平偏波）の測定結果をそれぞれ示している。但し、図５においては漏洩電波の垂直偏波を実線イで示し、水平偏波を実線ロで示している。また、参考までにＶＣＣＩ  ＣｌａｓｓＢの基準値を直線ハで示している。尚、本発明に係る蛍光灯照明器具については、ＶＣＣＩにおける３０ＭＨｚ以上の規制対象に含まれていないが、漏洩電波が少ない方が望ましいことは言うまでもない。
【００１８】
尚、ランプ４と電源線８１との距離が近いほど輻射雑音の低減効果が高いと予測されるので、本実施形態では２本のランプ４，４と等距離且つ最短距離の位置、すなわち、反射板３の頂部に電源線８１を配置し、さらに、電源線８１を反射板３に密着させている。また、本実施形態では支持部材６を使って電源線８１を反射板３に固定しているが、これに限定する趣旨ではなく、他の支持手段、例えば粘着テープ等を用いても構わない。
【図面の簡単な説明】
【００１９】
【図１】本発明の実施形態を示し、（ａ）は側面図、（ｂ）は一部省略した断面図である。
【図２】同上の分解斜視図である。
【図３】同上の斜視図である。
【図４】同上の漏洩電波の測定結果を示す。
【図５】漏洩電波の測定結果を示し、（ａ）は本実施形態、（ｂ）は従来例である。
【符号の説明】
【００２０】
１  器具本体
２  ソケット
３  反射板
４  ランプ
５  安定器
６  支持部材
８１  電源線
【図１】
0004654931.tif 000002
【図２】
0004654931.tif 000003
【図３】
0004654931.tif 000004
【図４】
0004654931.tif 000005
【図５】
0004654931.tif 000006